(57)【要約】【課題】スキャン済みの原稿の取り難さを解消することのできる自動原稿送り装置を提供する。【解決手段】原稿トレイ上の原稿を画像形成装置に自動給紙すると共に自動回収して排出する自動原稿送り装置において、原稿を画像形成装置に給紙する給紙部が、回収された原稿を排出する排出部より下に位置する。【選択図】図１
2007243787.tif 000002
【特許請求の範囲】
【請求項１】
原稿トレイ上の原稿を読取部に自動給紙すると共に自動回収して排出する自動原稿送り装置において、
原稿を読取部に給紙する給紙部が、回収された原稿を排出する排出部より下に位置することを特徴とする自動原稿送り装置。
【請求項２】
前記排出部は、除電器を備えており、排出される原稿の帯電を防止することを特徴とする請求項１に記載の自動原稿送り装置。
【請求項３】
前記原稿トレイは、原稿の幅方向位置を規制するべく対向配置された移動可能な一対の幅合せカーソルを備え、
前記幅合せカーソルは、給送前の原稿上面に横架され、給送前の原稿と排出後の原稿を分離する分離アームを有することを特徴とする請求項１または２に記載の自動原稿送り装置。
【請求項４】
排出後の原稿を案内する分離壁と、原稿の後端を規制する後端カーソルとを備え、前記幅合せカーソル上に排出された原稿が給紙部に再度送り込まれることを防止することを特徴とする請求項１〜３のいずれかに記載の自動原稿送り装置。
【請求項５】
展開及び収納可能な搬入ガード部材と、前記原稿トレイにおける原稿の有無を検出する検出手段とを備え、
前記搬入ガード部材は、前記検出手段が原稿の存在を検出しない場合には収納されており、前記検出手段が原稿の存在を検出し、かつ、給紙が開始された場合にのみ展開して、排出された原稿が再度給紙部から給送されるのを阻止することを特徴とする請求項１〜３のいずれかに記載の自動原稿送り装置。
【請求項６】
前記給紙部は、サバキ機構を原稿トレイの上に備えるとともに、原稿面を下向きに積層した最上端の原稿から順次給送して逆順に原稿を読取り、読取った画像データを保存する記憶手段と、
保存された画像データを逆順に出力する出力手段と
を備えたことを特徴とする請求項１〜５のいずれかに記載の自動原稿送り装置。
【請求項７】
前記給紙部は、サバキ機構を原稿トレイの下に備えるとともに、原稿面を下向きに積層した最下端の原稿から順次給送し、正順に原稿読取を行うことを特徴とする請求項１〜５のいずれかに記載の自動原稿送り装置。
【請求項８】
原稿読み取り部の原稿搬送速度を一定にして原稿を読取るとともに、
原稿読み取り部の搬送速度より、排出部の原稿排出速度を速く設定し、勢い良く用紙を排出して原稿の混同を防止することを特徴とする請求項１〜７のいずれかに記載の自動原稿送り装置。
【発明の詳細な説明】
【技術分野】
【０００１】
本発明は、複写機、ファクシミリ等の画像形成装置に接続されるＡＤＦ（Auto Document Feeder）等の自動原稿送り装置に関する。
【背景技術】
【０００２】
従来のアナログ複写機やデジタル複写機初期のメモリが高価であった時代には、原稿を原稿ガラス上にセットした状態でスキャンすると同時に感光体を露光することで画像を形成していた。このような画像形成装置用の自動原稿送り装置は、用紙をコピーする度に原稿を原稿台上に配置するよう原稿ベルトを循環することで複数部数のコピー動作を行っていた。
しかし、現在はメモリ単価も下がり、原稿からのデータを画像データ（デジタル信号）として処理する事が可能となり、複合機や複写機等の画像形成装置以外に、スキャナとしてＰＣ（Personal Computer）に画像データとして取込む事も可能となった。
【０００３】
現在の自動原稿送り装置は、画像形成装置内のイメージセンサに原稿を給紙する読込部の位置を固定し、自動原稿送り装置にセットされた原稿を循環することにより画像データを取込むシートスルー型ＡＤＦが主流となっている。このようなシートスルー型ＡＤＦは、循環型ＡＤＦに比べ単純な構成で実現可能であり、上部に設置された給紙トレイの原稿を給紙トレイの下部に設置された排出トレイ上に排紙する構成となっている（例えば、特許文献１）。
【特許文献１】特開２００１−３１２１０５号公報
【発明の開示】
【発明が解決しようとする課題】
【０００４】
しかしながら、従来のシートスルー型ＡＤＦは、循環型ＡＤＦに比べ単純な構成で実現可能であるが故に原稿セットの容易さが優先され、上部に設置された給紙トレイの原稿を給紙トレイの下部に設置された排出トレイ上に排紙する構成である。このため、排出されたスキャン済みの原稿にアクセスするのは、給紙トレイが邪魔になるため容易ではなく、原稿を取り忘れる事態等が発生する虞れもあった。
【０００５】
この発明は、上述した事情に鑑みてなされたものであり、原稿の混同を阻止するとともに原稿へのアクセスを容易にして原稿の取り忘れを防止することを目的とするものである。
【課題を解決するための手段】
【０００６】
上記目的を達成する為に、本発明では、第１の解決手段として、原稿トレイ上の原稿を読取部に自動給紙すると共に自動回収して排出する自動原稿送り装置において、原稿を読取部に給紙する給紙部が、回収された原稿を排出する排出部より下に位置する、という手段を採用する。
【０００７】
また、第２の解決手段として、排出部に除電器を備え、排出される原稿の帯電を防止する、という手段を採用する。
【０００８】
また、第３の解決手段として、前記原稿トレイは、原稿の幅方向位置を規制するべく対向配置された移動可能な一対の幅合せカーソルを備え、前記幅合せカーソルは、給送前の原稿上面に横架され、給送前の原稿と排出後の原稿を分離する分離アームを有する、という手段を採用する。
【０００９】
また、第４の解決手段として、排出後の原稿を案内する分離壁と、原稿の後端を規制する後端カーソルとを備え、前記幅合せカーソル上に排出された原稿が給紙部に再度入る事を防止する、という手段を採用する。
【００１０】
また、第５の解決手段として、展開及び収納可能な搬入ガード部材と、前記原稿トレイにおける原稿の有無を検出する検出手段とを備え、前記搬入ガード部材は、前記検出手段が原稿の存在を検出しない場合には収納されており、前記検出手段が原稿の存在を検出し、かつ、給紙が開始された場合にのみ展開して、排出された原稿が再度給紙部から給送されるのを阻止する、という手段を採用する。
【００１１】
また、第６の解決手段として、前記給紙部は、サバキ機構を原稿トレイの上に備えるとともに、原稿面を下向きに積層した最上端の原稿から順次給送して逆順に原稿を読取り、読取った画像データを保存する記憶手段と、保存された画像データを逆順に出力する出力手段とを備える、という手段を採用する。
【００１２】
また、第７の解決手段として、前記給紙部は、サバキ機構を原稿トレイの下に備えるとともに、原稿面を下向きに積層した最下端の原稿から順次給送し、正順に原稿読取を行う、という手段を採用する。
【００１３】
また、第８の解決手段として、原稿読み取り部の原稿搬送速度を一定にして原稿を読取るとともに、原稿読み取り部の搬送速度より、排出部の原稿排出速度を速く設定し、勢い良く用紙を排出して原稿の混同を防止する、という手段を採用する。
【発明の効果】
【００１４】
このような各解決手段を採用する本発明は、以下のような効果を奏する。
すなわち、本発明では、原稿トレイから原稿を読み取り部へ給送する給紙部が読み取り後の原稿を排出する排出部より下に位置するので、スキャン前の原稿とスキャン済みの原稿の混合を防止して、スキャン済みの原稿の取り難さを解消することができる。また、給紙トレイを別途設ける必要がなく、省くことができる。
【００１５】
また、排出部が除電器を備えており排出される原稿の帯電を防止するので、排出された原稿が帯電によって乱雑にストックされるのを防止し、スキャン済みの原稿の取り難さを解消できる。
【００１６】
また、原稿トレイは、原稿の幅方向位置を規制するべく対向配置された移動可能な一対の幅合せカーソルを備え、前記幅合せカーソルは、給送前の原稿上面に横架され、給送前の原稿と排出後の原稿を分離する分離アームを有するので、スキャン前の原稿とスキャン済みの原稿の混合を防止することができる。
【００１７】
また、排出後の原稿を案内する分離壁と、原稿の後端を規制する後端カーソルとを備え、前記幅合せカーソル上に排出された原稿が給紙部に再度入る事を防止するので、スキャン前の原稿とスキャン済みの原稿の混合を防止できる。また、構造が簡単で原稿のセットが容易である。
【００１８】
また、展開及び収納可能な搬入ガード部材と、前記原稿トレイにおける原稿の有無を検出する検出手段とを備え、前記搬入ガード部材は、前記検出手段が原稿の存在を検出しない場合には収納されており、前記検出手段が原稿の存在を検出し、かつ、給紙が開始された場合にのみ展開して、排出された原稿が再度給紙部から給送されるのを阻止するので、スキャン前の原稿とスキャン済みの原稿の混合を防止できる。また、原稿をセットする際に搬入ガード部材が収納されているので、原稿のセットが容易である。
【００１９】
また、給紙部がサバキ機構を原稿トレイの上に備えるとともに、原稿面を下向きに積層した最上端の原稿から順次給送して逆順に原稿を読取り、読取った画像データを保存する記憶手段と、保存された画像データを逆順に出力する出力手段とを備えたので、原稿を逆順から読み込んで原稿排出時にスキャン済みの原稿を正しい順序で上向きに原稿トレイ上に排出するようにしても、画像データを順番に出力することができる。
【００２０】
また、給紙部がサバキ機構を原稿トレイの下に備えるとともに、原稿面を下向きに積層した最下端の原稿から順次給送し、正順に原稿読取を行うので、原稿の反転が不要である。
【００２１】
さらに、原稿読み取り部の原稿搬送速度を一定にして原稿を読取るとともに、原稿読み取り部の搬送速度より、排出部の原稿排出速度を速く設定し、勢い良く用紙を排出して原稿の混同を防止するので、スキャン前の原稿とスキャン済みの原稿を確実に分離することができる。
【発明を実施するための最良の形態】
【００２２】
以下、図面を参照して、本発明の実施形態について詳しく説明する。
図１は、第１実施形態に係る自動原稿送り装置の概略構成図である。本自動原稿送り装置１０は、原稿トレイ１１と、原稿トレイ１１上の原稿１２を原稿搬送路１３に送り出す給紙部１４と、原稿搬送路１３の途中に設けられた原稿読み取り部１５と、読み取られた原稿を排出する排出部１６を備えており、原稿から情報を読み取って画像データに変換するデジタル複写機／複合機／フラットベット型スキャナ等の画像形成装置に接続して使用される。また、原稿を送り出す給紙部１４は、原稿を排出する排出部１６より下に位置している。
【００２３】
給紙部１４は、サバキ機構であるピックアップローラ２３とその先方（原稿搬送方向の下流側）に配置された分離ローラ２４を有している。ピックアップローラ２３は、アーム２３ａによって待機位置と給紙位置を移動することができる。ピックアップローラ２３は、通常は待機位置にあり、この待機位置からアーム２３ａによって給紙位置に移動して原稿面を下向きに積層した最上端の原稿に当接して分離ローラ２４に送る。分離ローラ２４は、原稿を順次摩擦力によって１枚づつ原稿読み取り部１５へ給送する。
原稿搬送路１３は、レジストローラ２５と大径の搬送ドラム２６と搬送コロ２７と、搬送ローラ２８を有している。
【００２４】
排出部１６は、排出ローラ２９を有するとともに除電器１７を備えており排出される原稿の帯電を防止する。除電器１７は、原稿搬送路１３を搬送される原稿が搬送ローラ等との摩擦によって帯電した電荷を取り除くもので、除電ブラシ、除電シート、除電ローラ等を使用することができる。また、非接触式であってもよい。除電後の原稿は、原稿トレイ１１の幅合せカーソル２０上へ排出される。
【００２５】
給紙部１４と排出部１６の間には、排出後の原稿を案内する分離壁１８が配設されている。分離壁１８は、原稿トレイ１１の先端部の上で幅方向に渡って形成されている。また、原稿トレイ１１には、原稿の後端を規制する後端カーソル１９が形成されており、分離壁１８によって案内されたスキャン後の原稿は、後端カーソル１９で停止し、整列する。更に、図４に示すように排出部１６の下端から分離壁１８の折曲部１８ａまでの高さ寸法ｃは、原稿トレイ１１にセットする最大原稿枚数の厚さ寸法以上の寸法に設定されている。また、後端カーソル１９から分離壁１８の折曲部１８ａまでの寸法ｂは、原稿トレイ１１にセットされる原稿長（Ａ３、Ａ４等）ａ以上の寸法を有している。
【００２６】
原稿トレイ１１は、原稿の幅方向位置を規制するべく対向配置された移動可能な一対の幅合せカーソル２０を備えている。また、幅合せカーソル２０は、給送前の原稿上面に横架され、給送前の原稿と排出後の原稿を分離する分離アーム２０ａを有している（図２、３参照）。左右の分離アーム２０ａの先端は、原稿の幅を合わせた際に原稿上面に原稿幅より狭い開口部２１を形成されている。また、この開口部２１は、この上に排出されたスキャン済みの原稿が落ち込まない程度の寸法に設定されている。
【００２７】
原稿読み取り部１５は、逆順に原稿を読取り、読取った画像データをハードディスク、メモリ等の記憶手段（図示略）に保存する。また、当該記憶手段に保存された画像データは、逆順に印字部、ディスプレイ等の出力手段から出力することができる。また、tiff、jpg、pdf 形式等に変換して出力してもよい。
【００２８】
次に、以上のように構成された自動原稿送り装置１０において、原稿トレイ１１上に積載された原稿１２は、給紙部１４からサバキ機構２２によって順次給送され、原稿読み取り部１５で画像情報が読み取られる。画像情報が読み取られた原稿は、原稿搬送路１３を通って除電器１７で帯電した電荷を除電した後、排出部１６から排出される。排出された原稿は、分離壁１８に案内されて先端が後端カーソル１９に自然落下で当接して停止する。また、排出された原稿の後端部は、幅合せカーソル２０の分離アーム２０ａおよび分離壁１８の上に乗っている。したがって、排出された原稿と給紙される前の原稿が完全に分離されて、スキャン済みの原稿が再度給送される虞がない。また、排出された原稿は、除電されているので、排出された原稿がスキャン前の原稿の送りに悪影響を与える虞がない。
【００２９】
図５は、第２実施形態に係る自動原稿送り装置を示す説明図である。
本第２実施形態において、サバキ機構３１であるピックアップローラ３２は、原稿トレイ１１の下に配設されている。サバキ機構３１は、ピックアップローラ３２と分離ローラ３３とから構成されている。また、原稿トレイ１１の先端の上面には、加圧板３０が配設されており、積層された原稿の先端をピックアップローラ３２に押圧している。サバキ機構３１は、ピックアップローラ３２が原稿面を下向きに積層した最下端の原稿に当接して分離ローラ３３に送る。分離ローラ３３は、原稿を摩擦力によって順次１枚づつ原稿読み取り部１５へ給送し、正順に原稿読取を行う。
【００３０】
以上のように構成した場合、原稿を正順に読み取ることができるので、読み取った画像データをそのままの順番で出力することができ、順番を反転させるためのメモリ等が必要ない。
【００３１】
さらに、図６は、第３実施形態に係る自動原稿送り装置を示す平面図、図７は、その側面図、図８、９は、第３の実施の形態における動作説明図である。
本実施の形態において、自動原稿送り装置６０は、展開及び収納可能な搬入ガード部材６１と、原稿トレイにおける原稿の有無を検出する検出手段６２と、原稿の幅方向位置を規制する移動可能な一対の幅合せカーソル６３とを備えている。搬入ガード部材６１は、左右の幅合せカーソル６３のほぼ中間で給紙部１４の近傍に配設されている。搬入ガード部材６１は、回動軸６４によって支承されており、回動軸６４は連結ステー６５を介してソレノイド６６に連結されている。また、連結ステー６５は、スプリング６７によって搬入ガード部材６１が展開して原稿トレイ１１上に積層された原稿の上面を押圧する方向に付勢されている。更に、搬入ガード部材６１の回動軸芯Ａは、幅合せカーソル６３の上端面６３ａよりＨだけ上に位置している。連結ステー６５は、支点６８によって回動可能に支持されており先端に形成された長穴６５ａに回動軸６４のアーム６４ａに立設されたピン６４ｂが遊嵌されている。また、連結ステー６５の基端には、ソレノイド６６の作動ピストン６６ａが連結されている。
【００３２】
以上のように構成された自動原稿送り装置６０は、待機状態では、ソレノイド６６が着磁位置にあり、連結ステー６５，回動軸６４を介して搬入ガード部材６１が図６、７に示すように収納状態にある。この状態では、原稿トレイ１１に原稿がセットされても搬入ガード部材６１が邪魔になることがない。
原稿トレイ１１に原稿がセットされ検出手段６２が原稿の存在を検出し、給紙が開始されると、ソレノイド６６の通電がＯＦＦとなり、スプリング６７の付勢力によって連結ステー６５が図９に実線で示すように回動して、回動軸６４を介して搬入ガード部材６１が展開する。搬入ガード部材６１の先端は、原稿トレイ１１に積載された原稿の上端に接触するまで回動する。
【００３３】
一方、給紙部１４から給送された原稿は、原稿読み取り部１５で画像情報が読み取られる。画像情報の読み取られた原稿は、原稿搬送路１３を通って排出部１６から排出される。排出された原稿は、幅合せカーソル６３の上端に順次積層される。また、排出された原稿は、搬入ガード部材６１に後端が案内されているので、給紙部１４から再給送される虞がない。原稿トレイ１１上の原稿が全て読み取られユーザが原稿を排出部１６から取り除き原稿がなくなり、検出手段６２が原稿の存在を検出しない場合には、ソレノイド６６がＯＮとなり、連結ステー６５、回動軸６４を介して搬入ガード部材６１が収納される。
【００３４】
また、以上の実施の形態では、給紙部１４の原稿搬送速度と、排出部１６の原稿搬送速度をほぼ同一に設定しているが、原稿読み取り部１５の原稿搬送速度を一定にして原稿を読取るとともに、原稿読み取り部１５の搬送速度より、排出部１６の原稿排出速度を速く設定して、勢い良く用紙を排出してもよい。
【００３５】
以上のように構成した場合、スキャン前の原稿とスキャン済みの原稿の混合を効果的に防止することができる。
【００３６】
なお、以上の実施の形態では、除電器を原稿搬送路中に設ける場合について説明したが、原稿トレイに除電器を設け、スキャン済みの原稿とスキャン前の原稿との摩擦帯電を防止してもよい。
【図面の簡単な説明】
【００３７】
【図１】図１は、本発明の第１実施形態に係る自動原稿送り装置の概略構成図である。
【図２】図２は、本発明の第１実施形態に係る自動原稿送り装置の平面図である。
【図３】図３は、本発明の第１実施形態に係る自動原稿送り装置の全体斜視図である。
【図４】図４は、本発明の第１実施形態に係る自動原稿送り装置の説明図である。
【図５】図５は、本発明の第２実施形態に係る自動原稿送り装置を示す説明図である。
【図６】図６は、本発明の第３実施形態に係る自動原稿送り装置を示す平面図である。
【図７】図７は、本発明の第３実施形態に係る自動原稿送り装置を示す側面図である。
【図８】図８は、本発明の第３実施形態に係る自動原稿送り装置の動作説明図である。
【図９】図９は、本発明の第３実施形態に係る自動原稿送り装置の動作説明図である。
【符号の説明】
【００３８】
１０、６０…自動原稿送り装置、１１…原稿トレイ、１２…原稿、１３…原稿搬送路、１４…給紙部、１５…原稿読み取り部、１６…排出部、１７…除電器、１８…分離壁、１９…後端カーソル、２０…幅合せカーソル、２１…開口部、２２、３１…サバキ機構、６１…搬入ガード部材、６２…検出手段
【図１】
2007243787.tif 000003
【図２】
2007243787.tif 000004
【図３】
2007243787.tif 000005
【図４】
2007243787.tif 000006
【図５】
2007243787.tif 000007
【図６】
2007243787.tif 000008
【図７】
2007243787.tif 000009
【図８】
2007243787.tif 000010
【図９】
2007243787.tif 000011